(57)【要約】　　　（修正有）【課題】安全性が高いコード巻取装置及びこの巻取装置を有する電気機器を提供する。【解決手段】電気機器（６）に設けられている出入口（３２）付きケース（３）と、ケース（３）内にあり又電気機器（６）に給電するコード（４１）をその先端部（４１１）が出入口（３２）外に突出した状態で進退可能に巻き取り収納しているリールと、リールにコード（４１）を巻取る力を付勢するばねと、ケース（３）に取付けられており、ばねの付勢力に抗し、コード（４１）を所要の長さで制止する押圧部材（６２）とを備えているコード巻取装置（４）において、出入口（３２）に、コード（４１）を進退させるときにコードと接触しながら回転するロール部材（５１、５２）が少なくとも１つ設けられている。【選択図】　　図１
0003098440.tif 000002
【実用新案登録請求の範囲】
【請求項１】
電気機器（６）に設けられている出入口（３２）付きケース（３）と、
前記ケース（３）内にあって、前記電気機器（６）に給電するためのコード（４１）をその先端部（４１１）が常時前記ケース（３）の前記出入口（３２）外に突出した状態で進退可能に巻き取り収納しているリール（４２）と、
前記リール（４２）に前記コード（４１）を巻き取る力を付勢するばね手段（４３）と、
前記ケース（３）に取付けられており又前記ばね手段（４３）による付勢力に抗して引き出した前記コード（４１）を所要の長さで一時的に制止させることができる押圧部材（６２）とを備えているコード巻取装置（４）において、
前記出入口（３２）に、前記コード（４１）を進退させるときに前記コードと接触しながら回転するロール部材（５１）が少なくとも１つ設けられていることを特徴とするコード巻取装置。
【請求項２】
前記ケース（３）は、平板部（３３ａ）と前記平板部の周縁から連続的に突出している周壁部（３３ｂ）とからなるケース状上蓋部（３３）と、前記電気機器に取付けられ、且つ、前記上蓋部（３３）に覆われることにより前記上蓋部（３３）と共に収容空間（３１）を形成する略板状下蓋部（３４）と、により構成され、
前記出入口（３２）が、前記ケース状上蓋部（３３）の周壁部（３３ｂ）に設けられていることを特徴とする請求項１に記載のコード巻取装置。
【請求項３】
前記上蓋部の平板部（３３ａ）と前記板状下蓋部（３４）とが、前記ロール部材（５１）を回転自在に嵌挿保持するために、第１の穴（３３１）と前記第１の穴と対向する第２の穴（３４１）とを備えていることを特徴とする請求項２に記載のコード巻取装置。
【請求項４】
前記ロール部材が、円柱部（５５）と前記円柱部の両端面の中心から軸方向に突出している回転軸（５３）と、により構成されることを特徴とする請求項１または３に記載のコード巻取装置。
【請求項５】
ヒータが埋設されたベース（６４）と、
このベース（６４）の上方に配設され、且つ、把手（６５）が取付けられている本体（６１）と、
この本体（６１）の後部に配設され、前記ヒータに給電するためのコード（４１）を進退可能に収納するコード巻取装置（４）とを備えており、
前記コード巻取装置（４）が、
出入口（３２）を備えるケース（３）と、
前記ケース（３）にあって、前記コード（４１）をその先端部が常時前記ケース（３）の出入口（３２）外に突出した状態で進退可能に巻いているリール（４２）と、
前記リール（４２）に前記コード（４１）を巻き取る力を付勢するばね手段（４３）と、
前記ケース（３２）に取付けられており又前記ばね手段（４３）による付勢力に抗して引き出したコード（４１）を所要の長さで一時的に制止させることができる押圧部材（６２）とを有し、
また、前記出入口（３２）に、前記コード（４１）を進退させるときに前記コードと接触しながら回転するロール部材（５１）が少なくとも１つ設けられていることを特徴とする電気機器。
【考案の詳細な説明】
【０００１】
【考案の属する技術分野】
本考案は、電気機器のコードの巻取りに使われるコード巻取装置及びこのコード巻取装置が配設されている電気機器に関する。
【０００２】
【従来の技術】
電気アイロンや、電気釜、電気掃除機などの従来の電気機器は、その使用後にコードをコンパクトに収納するために、ばねを用いたリールによってコードをスムーズに巻き取るコード巻取装置が使用されている。例えば、電気アイロン１は、図４に示されているように、ヒータ（図示せず）が埋設されたベース１４と、このベース１４の上方に配設された把手１５と、この把手１５の後部に配設され、ヒータに給電するためのコード１２２を進退可能に収納しているコード巻取装置１０とを有する。コード巻取装置１０は、図４と図５に示されているように、略方形状の出入口１１３を設けているケース１１と、このケース１１内にあって又コード１２２をその先端部１２６が常時ケース１１の出入口１１３外に突出した状態で進退可能に巻いているリール１２１と、このリール１２１にコード１２２を巻き取る力を付勢するばね１２３と、ケース１１上に取付けられており又ばね１２３による付勢力に抗して引き出したコード１２２を所要長さで一時的に制止することができる押圧部材１２４とを有する。
【０００３】
アイロン１を使用するとき、コード１２２は、ばね１２３による付勢力に対抗しながら、出入口１１３を介してケース１１外に所要の長さになるまで引出される。この引出しが終了すると、コード１２２は、ばね１２３の付勢力により巻き戻らないように、押圧部材１２４によって制止され、その結果、所要の長さに保持される。そして、アイロン１を使用した後、押圧部材１２４を押してコードに対する制止を解除すると、コード１２２は、ばね１２３の付勢力によってリール１２１に巻き戻され、最終的にケース１１内に収納される。
【０００４】
【考案が解決しようとする課題】
しかしながら、このような従来のコード巻取装置は、そのコードの外皮が頻繁に出入口１１３の口縁に擦れており、コード１２２が繰り返し進退されることによって最終的にその外皮が擦り切れて、その結果アイロン１の使用に危険をもたらすという問題点がある。
【０００５】
したがって、本考案は、前記の問題点に鑑みて、コードの進退持におけるコードと出入口との間の摩擦を軽減し、その結果として電気機器の使用における安全性を向上させることができるコード巻取装置を提供することを目的とする。
【０００６】
【課題を解決するための手段】
前記課題を解決するために、本考案のコード巻取装置は、電気機器に設けられている出入口付きケースと、前記ケース内にあって、前記電気機器に給電するためのコードをその先端部が常時前記ケースの出入口外に突出した状態で進退可能に巻き取り収納しているリールと、前記リールに前記コードを巻き取る力を付勢するばね手段と、前記ケースに取付けられており又前記ばね手段による付勢力に抗して引き出したコードを所要の長さで制止する押圧部材と、を有するコード巻取装置において、前記出入口に、前記コードを進退させるときにコードと接触しながら回転するロール部材が少なくとも一本設けられていることを特徴とする。
【０００７】
前記のようにケースの出入口にロール部材が設けられることにより、コードがその進退時においてロール部材と接触するものの、そのロール部材の回転によって出入り口とコードの間の摩擦が軽減されるので、コードの進退が容易になり、またコードと出入口との間の摩擦に起因するコードの外皮の破損が回避され、その結果、電気機器の使用における安全性が大幅に向上される。
【０００８】
【考案の実施の形態】
以下、本考案は、実施の形態の図面に基づいて具体的に説明されるが、この例のみに限定されない。
【０００９】
図１は、本考案のコード巻取装置４を取付けているアイロン６を示す概略的側面図である。アイロン６は、ヒータ（図示せず）が埋設されたベース６４と、このベース６４の上方に配設され、且つ、把手６５が取付けられている本体６１とを有する。コード巻取装置４は、本体６１の後部に配設され、ヒータに給電するためのコード４１を進退可能に収納している。
【００１０】
コード巻取装置４は、図１〜３に示されるように、コード４１を収納するための出入口３２付きケース３を有する。このケース３はその内部に、コード４１をその先端部４１１が常時ケース３の出入口３２外に突出した状態で進退可能に巻いているリール４２と、リール４２にコード４１を巻き取る力を付勢するばね手段４３とを有する。
【００１１】
ケース３は、平板部３３ａとその平板部３３ａの周縁から連続的に突出している周壁部３３ｂとからなるケース状上蓋部３３と、アイロン６に取付けられ、且つ、上蓋部３３に覆われることにより上蓋部３３と共に収容空間３１を形成する略板状下蓋部３４と、により構成されている。本実施の形態において、出入口３２は、略方形状であり又ケース状上蓋部３３の周壁部３３ｂに配置されているが、その形状や配置位置に制限されない。また、周壁部３３ｂの出入口３２のやや上方に（図３参照）、ばね手段４３の付勢力に抗し、引き出したコード４１を所要の長さで一時的に制止することができる押圧部材６２が設けられている。
【００１２】
ケース３の上蓋部３３の平板部３３ａの周壁部３３ｂ近傍部に、第１の穴３３１、３３２が、また下蓋部３４に第１の穴３３１、３３２と対向する第２の穴３４１、３４２が設けられている。ロール部材５１（５２）は、円柱部５５（５６）とこの円柱部の両端面の中心から円柱部の軸方向に突出している回転軸５３（５４）とから構成されている。このロール部材５１，５２は、ロール部材５１の回転軸５３が第１の穴３３１と第２の穴３４１に、またロール部材５２の回転軸５４が第１の穴３３２と第２の穴３４２に回転自在に嵌挿保持されることによって、出入口３２の上下両縁に回転自在に架設される。なお、本実施の形態において、ロール部材は２本設けられているが、必要に応じて一本、３本またはそれ以上設けても良い。例えば、ロール部材５１、５２に対して垂直に、出入口３２の近傍に第３と第４のロール部材を設けても良い。ここでは、本考案の実施形態としてコード巻取装置を取付けている電気アイロンを説明したが、当然ながら、他の実施形態、例えば電気釜、電気掃除機などでも実施可能であることは言うまでもない。
【００１３】
アイロン６を使用するとき、コード４１は、ばね４３による付勢力に対抗しながら、出入口３２を介してケース３外に所要の長さまで引出される。この引出しが終了すると、コード４１は、ばね手段４２の付勢力により巻き戻らないように、押圧部材６２によって制止され、その結果、所要の長さに一時的に保持される。そして、アイロン６を使用した後、押圧部材６２を押してコード４１に対する制止を解除すると、コード４１は、ばね４３の付勢力によってリール４２に巻き戻され、最終的にケース３内に収納される。
【００１４】
コード４１がその進退時において出入口３２近傍に設けられているロール部材５１又は／及びロール部材５２と接触するものの、そのロール部材の回転によって出入り口とコードの間の摩擦が軽減されるので、コード４１の進退が容易になり、またコード４１と出入口３２の口縁との摩擦に起因するコードの外皮の破損が回避され、その結果、アイロン６の使用における安全性が向上される。
【００１５】
【考案の効果】
本考案のコード巻取装置によれば、コードの進退時におけるコードと出入口の口縁との摩擦が軽減されるので、電子機器の使用における安全性を向上させることができる。
【図面の簡単な説明】
【図１】本考案に係るコード巻取装置が取付けられたアイロンの部分的分解側面図。
【図２】本考案に係るコード巻取装置が取付けられたアイロンの部分的拡大側面図。
【図３】図２における巻取装置の正面図。
【図４】従来のコード巻取装置を取付けられたアイロンの側面図。
【図５】図４におけるコード巻取装置の正面図。
【符号の説明】
１　アイロン、　１０　巻取装置、　１１　ケース、　１４　ベース、　１５把手、　１１３　出入口、　１２１　リール、　１２２　コード、　１２３　ばね、　１２４　押圧部材、　１２６　先端部、　３　ケース、　３１　空間、３２　出入口、　３３　上蓋部、　３３ａ　平板部、　３３ｂ　周壁部、　３３１　穴、　３３２　穴、　３４１　穴、　３４２　穴、　３４　下蓋部、　４巻取装置、　４１　コード、　４２　リール、　４３　ばね、　５１　ロール、　５２　ロール、　５３　回転軸、　５４　回転軸、　５５　円柱部、　５６円柱部、　６１　本体、　６　アイロン、　６２　押圧部材、　６４　ベース、　６５　把手
【図１】
0003098440.tif 000003
【図２】
0003098440.tif 000004
【図３】
0003098440.tif 000005
【図４】
0003098440.tif 000006
【図５】
0003098440.tif 000007